(57)【要約】  実施例において、基本サービスセット識別子ＢＳＳＩＤを更新する方法を開示する。当該方法によれば、無線ブリッジング設備は、受信した第１無線アクセスポイントが送信したアクセスパケットがキャリーするサービスセット識別子ＳＳＩＤが、当該無線ブリッジング設備のローカルに保存された目標ＳＳＩＤとマッチングするか否かを判断する。マッチングする場合、無線ブリッジング設備は、続いて当該アクセスパケットがキャリーするＢＳＳＩＤが、ローカルに保存された目標ＢＳＳＩＤと同一であるか否かを判断する。同一でない場合、無線ブリッジング設備は、当該アクセスパケットに、当該無線ブリッジング設備と関連している第２無線アクセスポイントの構成情報がキャリーされているか否かを判断する。キャリーされている場合、無線ブリッジング設備は、当該アクセスパケットがキャリーするＢＳＳＩＤを目標ＢＳＳＩＤとして保存する。
2019511861.tif 000002
【特許請求の範囲】
【請求項１】
基本サービスセット識別子ＢＳＳＩＤを更新する方法であって、
無線ブリッジング設備は、第１無線アクセスポイントが送信した、前記第１無線アクセスポイントのサービスセット識別子ＳＳＩＤ及び基本サービスセット識別子ＢＳＳＩＤをキャリーするアクセスパケットを受信するステップと、
前記無線ブリッジング設備は、ローカルに保存された目標ＳＳＩＤが前記アクセスパケットにキャリーされているＳＳＩＤとマッチングする場合、ローカルに保存された目標ＢＳＳＩＤが、前記アクセスパケットにキャリーされているＢＳＳＩＤと同一であるか否かを判断するステップと、
前記無線ブリッジング設備は、前記目標ＢＳＳＩＤが、前記アクセスパケットにキャリーされているＢＳＳＩＤと同一でない場合、前記アクセスパケットに、前記無線ブリッジング設備と関連している第２無線アクセスポイントの構成情報がキャリーされているか否かを判断するステップと、
前記無線ブリッジング設備は、前記アクセスパケットに、前記構成情報がキャリーされている場合、前記アクセスパケットにキャリーされているＢＳＳＩＤを前記目標ＢＳＳＩＤとして保存するテップとを含むことを特徴とする方法。
【請求項２】
前記無線ブリッジング設備は、前記アクセスパケットに、前記構成情報がキャリーされていない場合、前記アクセスパケットを廃棄するステップを更に含むことを特徴とする請求項１に記載の方法。
【請求項３】
前記アクセスパケットに、予め設定されたＢＳＳＩＤを含む予め設定された構成情報がキャリーされ、
前記アクセスパケットに、前記無線ブリッジング設備と関連している第２無線アクセスポイントの構成情報がキャリーされているか否かを判断するステップは、
前記無線ブリッジング設備は、前記予め設定されたＢＳＳＩＤが、前記無線ブリッジング設備と関連している前記目標ＢＳＳＩＤと同一であるか否かを判断するステップと、
前記無線ブリッジング設備は、前記予め設定されたＢＳＳＩＤが、前記目標ＢＳＳＩＤと同一である場合、前記アクセスパケットに、前記構成情報がキャリーされていると判断するステップと、
前記無線ブリッジング設備は、前記予め設定されたＢＳＳＩＤが、前記目標ＢＳＳＩＤと同一でない場合、前記アクセスパケットを廃棄するステップとを含むことを特徴とする請求項１に記載の方法。
【請求項４】
前記予め設定された構成情報は、予め設定されたソース識別子と、予め設定されたアドレス識別子とを更に含み、
前記予め設定されたＢＳＳＩＤが、前記無線ブリッジング設備と関連している前記目標ＢＳＳＩＤと同一であるか否かを判断する前に、前記方法は、
前記無線ブリッジング設備は、前記予め設定されたソース識別子がローカルに保存された対応する目標ソース識別子とマッチングするか否か判断する及び前記予め設定されたアドレス識別子が目標アドレス識別子とマッチングするか否かを判断するステップと、
前記予め設定されたソース識別子が前記目標ソース識別子とマッチングしないおよび/または前記予め設定されたアドレス識別子が目標アドレス識別子とマッチングしない場合前記無線ブリッジング設備は、前記アクセスパケットを廃棄するステップと、
前記予め設定されたソース識別子が前記目標ソース識別子とマッチングしないおよび前記予め設定されたアドレス識別子が目標アドレス識別子とマッチングする場合、前記無線ブリッジング設備は、続いて前記予め設定されたＢＳＳＩＤが、前記無線ブリッジング設備と関連している前記目標ＢＳＳＩＤと同一であるか否かを判断するステップとを更に含むことを特徴とする請求項３に記載の方法。
【請求項５】
基本サービスセット識別子ＢＳＳＩＤを更新する方法であって、
第１無線アクセスポイントは、当該第１無線アクセスポイントのサービスセット識別子ＳＳＩＤ、基本サービスセット識別子ＢＳＳＩＤ及び予め設定された構成情報をキャリーする第１アクセスパケットを送信して、無線ブリッジング設備に、前記第１アクセスパケットを受信した後、前記第１アクセスパケットによって、当該無線ブリッジング設備と関連された第２無線アクセスポイントのＢＳＳＩＤを更新するか否かを判断させるステップを含むことを特徴とする方法。
【請求項６】
前記第１無線アクセスポイントが、前記無線ブリッジング設備が送信したアクセス要求によって、前記無線ブリッジング設備とネットワーク接続を確立するステップと、
前記第１無線アクセスポイントが、当該第１無線アクセスポイントにアクセスされた無線ブリッジング設備の数量を更新するステップとを更に含むことを特徴とする請求項５に記載の方法。
【請求項７】
第１アクセスパケットを送信する前に、前記方法は、
前記第１無線アクセスポイントは、前記第１アクセスパケットを送信する、前記第１無線アクセスポイントにアクセスされた無線ブリッジング設備の数量が予め設定された目標数量に達しないこと、及び／又は前記第１無線アクセスポイントが構成されて有効になってから、前記第１アクセスパケットを送信するまでの時間が予め設定された時間を越えないことを含む所定条件を満たすか否かを判断するステップと、
前記所定条件を満たす場合、前記第１無線アクセスポイントは、前記第１アクセスパケットを送信するステップとを更に含むことを特徴とする請求項５に記載の方法。
【請求項８】
前記所定条件を満たさない場合、前記第１無線アクセスポイントは、前記第１無線アクセスポイントのサービスセット識別子ＳＳＩＤ及び基本サービスセット識別子ＢＳＳＩＤをキャリーする第２アクセスパケットを送信するステップを更に含むことを特徴とする請求項７に記載の方法。
【請求項９】
プロセッサーと、機械実行可能な指令が記憶された非一時的記憶媒体とを含む無線ブリッジング設備であって、
前記機械実行可能な指令を実行することにより、前記プロセッサーは、
第１無線アクセスポイントが送信した前記第１無線アクセスポイントのサービスセット識別子ＳＳＩＤ及び基本サービスセット識別子ＢＳＳＩＤをキャリーするアクセスパケットを受信し、
前記無線ブリッジング設備のローカルに保存された目標ＳＳＩＤが前記アクセスパケットにキャリーされているＳＳＩＤとマッチングする場合、ローカルに保存された目標ＢＳＳＩＤが、前記アクセスパケットにキャリーされているＢＳＳＩＤと同一であるか否かを判断し、
前記目標ＢＳＳＩＤが、前記アクセスパケットにキャリーされているＢＳＳＩＤと同一でない場合、前記アクセスパケットに、前記無線ブリッジング設備と関連している第２無線アクセスポイントの構成情報がキャリーされているか否かを判断し、
前記アクセスパケットに、前記構成情報がキャリーされている場合、前記アクセスパケットにキャリーされているＢＳＳＩＤを前記目標ＢＳＳＩＤとして保存させられる、無線ブリッジング設備。
【請求項１０】
前記機械実行可能な指令を実行することにより、前記プロセッサーは、更に、
前記アクセスパケットに、前記構成情報がキャリーされていない場合、前記アクセスパケットを廃棄させられることを特徴とする請求項９に記載の無線ブリッジング設備。
【請求項１１】
前記アクセスパケットに、予め設定されたＢＳＳＩＤを含む予め設定された構成情報がキャリーされ、
前記アクセスパケットに、前記第２無線アクセスポイントの構成情報がキャリーされているか否かを判断する時、前記機械実行可能な指令を実行することにより、前記プロセッサーは、更に、
前記予め設定されたＢＳＳＩＤが、前記無線ブリッジング設備と関連している前記目標ＢＳＳＩＤと同一であるか否かを判断し、
前記予め設定されたＢＳＳＩＤが、前記目標ＢＳＳＩＤと同一である場合、前記アクセスパケットに、前記構成情報がキャリーされていると判断し、
前記予め設定されたＢＳＳＩＤが、前記目標ＢＳＳＩＤと同一でない場合、前記アクセスパケットを廃棄させられることを特徴とする請求項９に記載の無線ブリッジング設備。
【請求項１２】
前記予め設定された構成情報は、予め設定されたソース識別子と、予め設定されたアドレス識別子とを更に含み、
前記予め設定されたＢＳＳＩＤが、前記無線ブリッジング設備と関連している前記目標ＢＳＳＩＤと同一であるか否かを判断する前に、前記機械実行可能な指令を実行することにより、前記プロセッサーは、更に、
前記予め設定されたソース識別子及び前記予め設定されたアドレス識別子が、前記構成情報における対応する目標ソース識別子及び目標アドレス識別子とマッチングするか否かを判断し、
前記予め設定されたソース識別子及び前記予め設定されたアドレス識別子のうち一方が、前記目標ソース識別子又は目標アドレス識別子とマッチングしない場合、前記アクセスパケットを廃棄し、
前記予め設定されたソース識別子及び前記予め設定されたアドレス識別子が、それぞれ前記目標ソース識別子又は目標アドレス識別子とマッチングする場合、続いて前記予め設定されたＢＳＳＩＤが、前記無線ブリッジング設備と関連している前記目標ＢＳＳＩＤと同一であるか否かを判断させられることを特徴とする請求項１１に記載の無線ブリッジング設備。
【発明の詳細な説明】
【背景技術】
【０００１】
本願は、２０１６年２月２６日に中国特許庁に提出された中国特許出願２０１６１０１０８６３３.３（発明の名称：「ＢＳＳＩＤを更新及びネットワークを接続する方法及び装置」）の優先権を主張し、その全ての内容が援用により本願に取り込まれる。
【０００２】
事業者は、無線アクセスポイントを配備することにより、異なる領域範囲に対して無線ホットスポットのカバレッジを実現する。使用者は、無線ブリッジング設備を介して、当該領域の無線アクセスポイントにアクセスしてネットワークリソースにアクセスする。然しながら、ネットワークのアクセスにおいて、アクセスされた無線アクセスポイントに故障が発生し、ネットワークのアクセスに失敗する可能性がある。故障の無線アクセスポイントを交換した後、当該故障の無線アクセスポイントにアクセスされたすべての無線ブリッジング設備の基本サービスセット識別子（Ｂａｓｉｃ  Ｓｅｒｖｉｃｅ  Ｓｅｔ  ＩＤ−ＢＳＳＩＤ）を変更する。当該ＢＳＳＩＤが、無線レベルで使用される媒体アクセス制御（ＭＡＣ）アドレスとして理解され得る。無線ブリッジング設備は、無線アクセスポイントのＢＳＳＩＤと関連されることによって、当該無線アクセスポイントにアクセスする。
【０００３】
故障の無線アクセスポイントにアクセスされた無線ブリッジング設備のＢＳＳＩＤを変更する方式としては、先ず、当該故障の無線アクセスポイントにアクセスされたすべての無線ブリッジング設備を確定した後、手作業で各々の無線ブリッジング設備と関連された故障の無線アクセスポイントのＢＳＳＩＤを、当該故障の無線アクセスポイントを取り替える、新しい無線アクセスポイントのＢＳＳＩＤに変更し、即ち、無線ブリッジング設備は、新しい無線アクセスポイントのＢＳＳＩＤを再関連させて、当該新しい無線アクセスポイントにアクセスさせる。
【図面の簡単な説明】
【０００４】
【図１】本開示の実施例が提供するＢＳＳＩＤを更新する方法のフローを示す模式図である。
【図２】本開示の実施例が提供するネットワークを接続する方法のフローを示す模式図である。
【図３】本開示の実施例が提供するＢＳＳＩＤを更新する方法のフローを示す他の模式図である。
【図４】本開示の実施例が提供するＢＳＳＩＤを更新する方法のフローを示す他の模式図である。
【図５】本開示の実施例が提供する無線ブリッジング設備の構造模式図である。
【図６】本開示の実施例が提供する無線ブリッジング設備の構造模式図である。
【図７】本開示の実施例が提供する無線アクセスポイントの構造模式図である。
【図８】本開示の実施例が提供する無線アクセスポイントの他の構造模式図である。
【発明を実施するための形態】
【０００５】
以下、本開示の実施例における添付図面を結合しながら、本開示の実施例における技術方案を明確で完全に説明する。
【０００６】
本開示の実施例は、ＢＳＳＩＤを更新及びネットワークを接続する方法及び装置を提供して、人手を介さずに、関連されたＢＳＳＩＤを自動的に更新することを実現し、保守作業量を削減しようとする。
【０００７】
説明すべきことは、本開示の実施例が提供するＢＳＳＩＤを更新する方法は、無線ブリッジング設備に応用され、当該無線ブリッジング設備は、例えば、無線ブリッジである。当該無線ブリッジング設備は、無線アクセスポイントのＢＳＳＩＤを関連されることによって、当該無線アクセスポイントにアクセスし、更に、当該無線アクセスポイントを介して、ネットワーク接続を行う。当該無線ブリッジング設備のローカルに一番新しく関連された無線アクセスポイントのＢＳＳＩＤ、ＳＳＩＤ（Ｓｅｅｒｖｉｃｅ Ｓｅｔ Ｉｄｅｎｔｉｆｉｅｒ-サービスセット識別子）及び構成情報が保存されている。当該構成情報は、当該無線アクセスポイントの製造業者の識別子（ソース識別子）、ＢＳＳＩＤの最後の３バイト（アドレス識別子）及び当該ＢＳＳＩＤを含む。当該ＳＳＩＤは、ローカルエリアネットワーク（ＬＡＮ）の名称と見なしても良く、ＳＳＩＤ技術は、一つの無線ローカルエリアネットワークを、幾つかの異なる身分認証を必要とするサブネットワークに分け、身分認証を通過した使用者のみ相応するサブネットワークにアクセスできるようにし、認証されていない使用者が本ネットワークにアクセスするのを防止する。
【０００８】
図１が示すように、本開示の実施例が提供するＢＳＳＩＤを更新する方法は、無線ブリッジング設備に応用され、下記のステップを含む。
【０００９】
ステップＳ１０１で、当該無線ブリッジング設備は、第１無線アクセスポイントが送信した当該第１無線アクセスポイントのサービスセット識別子ＳＳＩＤ及び基本サービスセット識別子ＢＳＳＩＤをキャリーするアクセスパケットを受信する。
【００１０】
理解すべきことは、当該無線ブリッジング設備は、関連している第２無線アクセスポイントとの接続が切断された後、能動的スキャンニング段階に入る。当該能動的スキャンニング段階で、無線ブリッジング設備は、能動的に第１無線アクセスポイントが送信したアクセスパケットを受信する。当該第１無線アクセスポイントが送信したアクセスパケットに、当該第１無線アクセスポイントのＳＳＩＤ及びＢＳＳＩＤがキャリーされる。勿論、当該無線ブリッジング設備は、能動的スキャンニングにより、複数の無線アクセスポイントが送信したアクセスパケットを同時に受信できる。当該第１無線アクセスポイントが送信したアクセスパケットを受信した後、当該無線ブリッジング設備は、当該アクセスパケットを解析し、当該第１無線アクセスポイントのＳＳＩＤ及びＢＳＳＩＤを確定する。当該アクセスパケットを解析するには、従来の技術を適用すれば良く、ここでは、重複する説明を省略する。具体的には、当該アクセスパケットは、管理フレームに属するビーコンＢｅａｃｏｎパケットである。
【００１１】
ステップＳ１０２で、当該無線ブリッジング設備は、ローカルに保存された目標ＳＳＩＤが、受信した当該アクセスパケットがキャリーするＳＳＩＤとマッチングするか否かを判断し、マッチングする場合、ステップＳ１０３を実行する。
【００１２】
具体的には、第１無線アクセスポイントが送信したアクセスパケットを受信した後、当該無線ブリッジング設備は、当該第１無線アクセスポイントが送信したアクセスパケットにキャリーされているＳＳＩＤを分析し、当該無線ブリッジング設備のローカルに保存された目標ＳＳＩＤが、当該ＳＳＩＤとマッチングするか否かを判断する。当該目標ＳＳＩＤは、当該無線ブリッジング設備が関連している第２無線アクセスポイントのＳＳＩＤである。無線ブリッジング設備は、キャリーするＳＳＩＤがローカルに保存された目標ＳＳＩＤとマッチングしないアクセスパケットを廃棄し、ＳＳＩＤがマッチングするアクセスパケットに対して、続いて解析を行う。
【００１３】
ステップＳ１０３で、当該無線ブリッジング設備は、ローカルに保存された目標ＢＳＳＩＤが、受信した当該アクセスパケットがキャリーするＢＳＳＩＤと同一であるか否かを判断し、同一でない場合、ステップＳ１０４を実行する。
【００１４】
説明すべきことは、実際の応用において、当該無線ブリッジング設備と関連された第２無線アクセスポイントとの接続が切断されるのは、いろいろな場合がある。一つの場合は、非正常切断であって、例えば、当該第２無線アクセスポイントは、故障が発生された後、除去され、当該無線ブリッジング設備と当該第２無線アクセスポイントの間のネットワーク接続が切断されるようになる。もう一つの場合は、正常切断であって、例えば、回路が切断され（停電等）て、当該無線ブリッジング設備と当該第２無線アクセスポイントの間のネットワーク接続が切断されるようになる等である。
【００１５】
アクセスパケットがキャリーするＳＳＩＤが、当該無線ブリッジング設備のローカルに保存された目標ＳＳＩＤとマッチングすると確定した後、当該アクセスパケットから当該第１無線アクセスポイントのＢＳＳＩＤを解析し、当該ＢＳＳＩＤと当該無線ブリッジング設備のローカルに保存された目標ＢＳＳＩＤとが、同一であるか否かを判断する。当該目標ＢＳＳＩＤは、当該第２無線アクセスポイントのＢＳＳＩＤである。同一である場合、当該アクセスパケットが、当該関連している第２無線アクセスポイントから送信したアクセスパケットであると確定する。例えば、当該無線ブリッジング設備と当該第２無線アクセスポイントの間の回路が故障で切断された場合、当該無線ブリッジング設備と当該第２無線アクセスポイントの間のネットワーク接続が切断される可能性がある。回路接続が復元された後、当該第２無線アクセスポイントは、再度当該無線ブリッジング設備にアクセスパケットを送信する。この時、関連されたＢＳＳＩＤに対する更新を行う必要がなく、直接第２無線アクセスポイントにアクセス要求を送信し、当該第２無線アクセスポイントとネットワーク接続を行う。同一でない場合、続いて後続の更新プロセスを行う。
【００１６】
ステップＳ１０４で、当該無線ブリッジング設備は、受信した当該アクセスパケットに、当該第２無線アクセスポイントの構成情報がキャリーされているか否かを判断する。キャリーされている場合、ステップＳ１０５を実行する。
【００１７】
理解すべきことは、当該受信したアクセスパケットにキャリーされているＢＳＳＩＤが、ローカルに保存された目標ＢＳＳＩＤとマッチングしないと確定した場合、続いて当該アクセスパケットに、当該無線ブリッジング設備自体と関連している第２無線アクセスポイントの構成情報がキャリーされているか否かを判断する。
【００１８】
当該アクセスパケットに当該第２無線アクセスポイントの構成情報がキャリーされていないと判断した場合、以下の二つの場合がある。一つ目の場合は、当該アクセスパケットに、如何なる予め設定された構成情報もキャリーされていないことである。この場合、当該アクセスパケットが、当該無線ブリッジング設備と関連している第２無線アクセスポイントと同一なＳＳＩＤを構成した無線アクセスポイント、例えば、同一の基地局に設置された無線アクセスポイントから送信されたと見なすことができる。理解すべきことは、実際の応用において、無線信号のカバレッジ問題を解決するために、普通、同一の基地局上に一つ以上の無線アクセスポイントを装着し、例えば、三つの無線アクセスポイントを装着し、当該一つ以上の無線アクセスポイントに、同一なＳＳＩＤを設置する。
【００１９】
他の一つの場合は、当該アクセスパケットに予め設定された構成情報がキャリーされているが、当該予め設定された構成情報は、当該無線ブリッジング設備のローカルに保存された目標構成情報とマッチングしなく、即ち、無線ブリッジング設備自体と関連している第２無線アクセスポイントの構成情報とマッチングしないことである。
【００２０】
当該無線ブリッジング設備は、当該アクセスパケットに当該無線ブリッジング設備自体と関連している第２無線アクセスポイントの構成情報がキャリーされていないと判断した場合、当該アクセスパケットを廃棄する。
【００２１】
具体的には、当該アクセスパケットを送信した無線アクセスポイントが、故障の無線アクセスポイントを取り替える無線アクセスポイントである場合、当該アクセスパケットに故障の無線アクセスポイントを示すことのできる予め設定された構成情報がキャリーされる。例えば、当該予め設定された構成情報に、故障の無線アクセスポイントのＢＳＳＩＤを含む。当該アクセスパケットに、当該無線ブリッジング設備と関連している第２無線アクセスポイントの構成情報がキャリーされているか否かを判断するステップは、
当該無線ブリッジング設備は、当該予め設定されたＢＳＳＩＤが、当該無線ブリッジング設備と関連している当該目標ＢＳＳＩＤと同一であるか否かを判断するステップと、
同一である場合、当該無線ブリッジング設備は、当該アクセスパケットに前記構成情報がキャリーされていると判断するステップと、
同一でない場合、当該無線ブリッジング設備は、当該アクセスパケットを廃棄するステップとを含む。
【００２２】
理解すべきことは、当該予め設定されたＢＳＳＩＤが当該無線ブリッジング設備と関連している目標ＢＳＳＩＤと同一である場合、当該予め設定されたＢＳＳＩＤが、当該第２無線アクセスポイントのＢＳＳＩＤであり、当該第１無線アクセスポイントが、当該第２無線アクセスポイントの取り替え用無線アクセスポイントであることを示す。同一でない場合、当該第１無線アクセスポイントにおける予め設定された構成情報に含まれる予め設定されたＢＳＳＩＤが、当該第２無線アクセスポイントのＢＳＳＩＤではないことを示し、従って、当該アクセスパケットを廃棄する。
【００２３】
当該ＢＳＳＩＤのビットが多く、データ量が比較的に大きいため、直接当該予め設定されたＢＳＳＩＤを比較する場合、当該無線ブリッジング設備の大量のリソースを占用し、時間を無駄にする。時間及びリソースを節約し、無線ブリッジング設備の的負荷圧力を減少するために、下記の方式を更に提案する。
【００２４】
一つの実施例において、当該第１無線アクセスポイントが送信したアクセスパケットにキャリーされている予め設定された構成情報は、予め設定されたソース識別子及び予め設定されたアドレス識別子を更に含む。
【００２５】
前記予め設定されたＢＳＳＩＤが、前記無線ブリッジング設備と関連している目標ＢＳＳＩＤと同一であるか否かを判断するステップの前に、本開示の実施例が提供するＢＳＳＩＤを更新する方法は、
無線ブリッジング設備は、当該予め設定されたソース識別子がローカルに保存された対応する目標ソース識別子とマッチングするか否か判断する及び当該予め設定されたアドレス識別子が目標アドレス識別子とマッチングするか否かを判断するステップと、
前記予め設定されたソース識別子が前記目標ソース識別子とマッチングしないおよび/または前記予め設定されたアドレス識別子が目標アドレス識別子とマッチングしない場合、当該無線ブリッジング設備は、当該アクセスパケットを廃棄するステップと、
前記予め設定されたソース識別子が前記目標ソース識別子とマッチングしないおよび前記予め設定されたアドレス識別子が目標アドレス識別子とマッチングする場合、当該無線ブリッジング設備は、当該予め設定されたＢＳＳＩＤが、当該無線ブリッジング設備と関連している当該目標ＢＳＳＩＤと同一であるか否かを判断するステップを実行するステップとを更に含む。
【００２６】
受信したアクセスパケットにキャリーされている予め設定されたＢＳＳＩＤが前記無線ブリッジング設備と関連している目標ＢＳＳＩＤと同一であるか否かを判断する前に、当該アクセスパケット内の予め設定されたソース識別子及び当該予め設定されたアドレス識別子が、ローカルに保存された対応する目標ソース識別子及び目標アドレス識別子とマッチングするか否かを判断する。マッチングしない場合、当該アクセスパケットを廃棄する。相互にマッチングする場合、当該アクセスパケットに対して、続いて当該予め設定されたＢＳＳＩＤが、当該目標ＢＳＳＩＤと同一であるか否か比較する。即ち，当該アクセスパケットが、当該無線ブリッジング設備と関連している第２無線アクセスポイントの構成情報をキャリーするか否かを確定できる。先ず当該予め設定されたソース識別子と当該予め設定されたアドレス識別子をマッチングさせてから、当該予め設定されたＢＳＳＩＤを比較する方式により、比較データ量を減少し、リソース及び時間を節約する効果を達成する。
【００２７】
実際の応用において、故障の無線アクセスポイントを取り替える、新しい無線アクセスポイントからアクセスパケットを送信する場合、当該アクセスパケットには、当該新しい無線アクセスポイントのＳＳＩＤ及びＢＳＳＩＤ以外に、取り替えられる故障の無線アクセスポイントの情報、即ち、予め設定された構成情報が更にキャリーされる。本開示の実施例において、当該故障の無線アクセスポイントの情報（予め設定された構成情報）に記録された予め設定されたソース識別子及び予め設定されたアドレス識別子は、それぞれ当該故障の無線アクセスポイントの製造会社により自己定義された一つのＬＯＧＯ及び当該故障の無線アクセスポイントのＭＡＣアドレス（ＢＳＳＩＤ）の最後の３バイトである。当該故障の無線アクセスポイントは、当該無線ブリッジング設備と関連している第２無線アクセスポイントである。実際の応用において、当該アクセスパケットは、普通、予め設定された構成情報を一つしかキャリーしないが、複数キャリーする場合、一つ目を最優先で考慮する。
【００２８】
新しい無線アクセスポイントから送信されたアクセスパケットに、当該予め設定された構成情報がキャリーされていると確定した時、先ず、当該予め設定された構成情報の「ｉｄｅｎｔｉｆｉｃａｔｉｏｎ」のフィールド内の内容を分析する。それぞれ「ｓｚ_ｌｏｇｏ」及び「ｓｚ_ｍａｃ」を用いて、当該無線アクセスポイントの製造業者のｌｏｇｏ及び当該無線アクセスポイントのＭＡＣアドレス（予め設定されたＢＳＳＩＤ）の最後の３バイトを保存する。そして、「ｓｚ_ｌｏｇｏ」及び「ｓｚ_ｍａｃ」と、当該無線ブリッジング設備に保存された無線ブリッジング設備と関連している第２無線アクセスポイントの構成情報における目標「ｓｚ_ｌｏｇｏ」（目標ソース識別子）及び目標「ｓｚ_ｍａｃ」（目標アドレス識別子）を比較する。いずれか１組がマッチングしない場合、当該予め設定された構成情報をキャリーするアクセスパケットを廃棄し、いずれもマッチングに成功した場合、続いて予め設定されたＢＳＳＩＤが、当該無線ブリッジング設備と関連している当該目標ＢＳＳＩＤと同一であるか否かを判断する。
【００２９】
例を挙げて説明すると、当該無線ブリッジング設備は、当該予め設定された構成情報における「ｉｄｅｎｔｉｆｉｃａｔｉｏｎ」フィールドの内容が、「ｒｒｒ２３３４５６」であり、当該予め設定された構成情報にキャリーされている予め設定されたＢＳＳＩＤは、０８：００：１２：２３：３４：５６だと解析する。その内、「ｓｚ_ｍａｃ」は、「ｒｒｒ」であり、「ｓｚ_ｍａｃ」は、「２３３４５６」である。当該無線ブリッジング設備に保存された目標ＢＳＳＩＤは、０８：００：１２：２３：３４：５６であり、目標ソース識別子は、「ｒｒｒ」であり、目標アドレス識別子は、「２３３４５６」である。先ず、当該「ｓｚ_ｌｏｇｏ」と目標ソース識別子、及び「ｓｚ_ｍａｃ」と目標アドレス識別子を比較し、いずれもマッチングに成功したと確定する。そして、続いて当該予め設定されたＢＳＳＩＤと当該目標ＢＳＳＩＤを比較し、マッチングに成功したと確定する。このため、当該アクセスパケットがキャリーする当該予め設定された構成情報は、当該無線ブリッジング設備と関連している第２無線アクセスポイントの構成情報であると確認できる。勿論、理解すべきことは、当該「ｓｚ_ｌｏｇｏ」と目標ソース識別子、及び「ｓｚ_ｍａｃ」と目標アドレス識別子を比較する時、いずれか１組がマッチングしない場合、直接当該対応するアクセスパケットを廃棄し、もはや後続の当該予め設定されたＢＳＳＩＤと当該目標ＢＳＳＩＤの比較を行わない。
【００３０】
ステップＳ１０５で、当該無線ブリッジング設備は、当該アクセスパケットがキャリーするＢＳＳＩＤを目標ＢＳＳＩＤとして保存する。
【００３１】
説明すべきことは、当該アクセスパケットに当該無線ブリッジング設備と関連された第２無線アクセスポイントの構成情報がキャリーされていると確定した場合、当該無線ブリッジング設備は、当該アクセスパケットにキャリーされている当該第１無線アクセスポイントのＢＳＳＩＤを目標ＢＳＳＩＤとして保存する。
【００３２】
本開示の実施例を応用することにより、先ず、当該無線ブリッジング設備は、受信した第１無線アクセスポイントが送信したアクセスパケットがキャリーするサービスセット識別子ＳＳＩＤが、ローカルに保存された目標ＳＳＩＤ、即ち、当該無線ブリッジング設備と関連している第２無線アクセスポイントの目標ＳＳＩＤとマッチングするか否かを判断する。マッチングする場合、続いて当該アクセスパケットがキャリーするＢＳＳＩＤが、ローカルに保存された目標ＢＳＳＩＤ、即ち、当該第２無線アクセスポイントの目標ＢＳＳＩＤと同一であるか否かを判断する。同一でない場合、当該アクセスパケットに、当該第２無線アクセスポイントの構成情報がキャリーされているか否かを判断する。キャリーされている場合、当該アクセスパケットがキャリーするＢＳＳＩＤを目標ＢＳＳＩＤとして保存する。これにより、人手を介さずに、関連されたＢＳＳＩＤを自動的に更新することを実現し、管理者の保守作業量を削減する。
【００３３】
一つの実施例において、第１無線アクセスポイントが送信したアクセスパケットを受信する前に、当該方法は、当該無線ブリッジング設備と当該第２無線アクセスポイントの間のネットワーク接続を切断するステップを更に含む。所定の時間内に当該第２無線アクセスポイントが送信した情報を受信しなかった場合、当該無線ブリッジング設備と当該第２無線アクセスポイントの間の接続が切断されたことを示す。
【００３４】
理解すべきことは、無線ブリッジング設備が無線アクセスポイントと関連され、ネットワーク接続を確立した後、もはや如何なるアクセスパケットも受信せず、ただ無線アクセスポイントとのネットワーク接続が切断された場合にのみアクセスパケットを受信する。当該無線ブリッジング設備が、所定の時間内に当該第２無線アクセスポイントが送信した情報を受信しなかった場合、当該無線ブリッジング設備と当該第２無線アクセスポイントが切断されたことを示す。実際の応用において、当該情報は、多様な形態があり、当該第２無線アクセスポイントが送信したアクセスパケットであっても可能であり、ネットワークデータ情報であっても可能である。勿論、当該ネットワークデータ情報は、パケットの形態で当該無線ブリッジング設備に送信されても良いが、この時のパケットが、当該アクセスパケットと異なることなどである。
【００３５】
他の一つの実施例において、当該無線ブリッジング設備のローカルのリソースを節約し、無線ブリッジング設備の負荷圧力を減少するために、当該無線ブリッジング設備は、当該無線ブリッジング設備と関連している第２無線アクセスポイントの構成情報をキャリーしていないアクセスパケットを廃棄する。具体的には、当該アクセスパケットに、当該無線ブリッジング設備と関連している第２無線アクセスポイントの構成情報がキャリーされていないと判断した場合、当該方法は、当該アクセスパケットを廃棄するステップを更に含む。当該アクセスパケットを廃棄するには、従来の技術を適用すれば良く、重複する説明は省略する。
【００３６】
一方、図２が示すように、本開示の実施例は、ネットワークを接続する方法を更に提供し、当該方法は、無線ブリッジング設備に応用される。当該ステップＳ１０１〜ステップＳ１０５に記載された基本サービスセット識別子ＢＳＳＩＤを更新する方法に基づき、前記アクセスパケットにキャリーされる前記第１無線アクセスポイントのＢＳＳＩＤを目標ＢＳＳＩＤ（ステップＳ１０５）として保存した後、下記のステップを含む。
【００３７】
ステップＳ１０６で、当該無線ブリッジング設備は、第１無線アクセスポイントにアクセス要求を送信し、第１無線アクセスポイントとネットワーク接続を確立する。
【００３８】
ステップＳ１０１〜ステップＳ１０５に基づき、当該無線ブリッジング設備は、当該目標ＢＳＳＩＤを更新した後、当該第１無線アクセスポイントにアクセス要求を送信する。当該第１無線アクセスポイントは、当該アクセス要求を受信した後、当該無線ブリッジング設備が自体（第１無線アクセスポイント）とネットワーク接続を確立することを許可する。本開示の実施例を応用することにより、故障が発生した無線アクセスポイントとネットワーク接続を確立した無線ブリッジング設備に、より速やかにネットワークサービスを提供する。
【００３９】
一方、図３が示すように、本開示の実施例は、ＢＳＳＩＤを更新する方法を更に提供し、当該方法は、第１無線アクセスポイントに応用され、当該第１無線アクセスポイントは、故障の無線アクセスポイントを取り替える新しい無線アクセスポイントである。前記方法は、下記のステップを含む。
【００４０】
ステップＳ３０１で、当該第１無線アクセスポイントは、第１無線アクセスポイントのサービスセット識別子ＳＳＩＤ、基本サービスセット識別子ＢＳＳＩＤ及び予め設定された構成情報をキャリーする第１アクセスパケットを送信する。無線ブリッジング設備は、当該第１アクセスパケットを受信した後、当該第１アクセスパケットによって、ローカルに関連している第２無線アクセスポイントのＢＳＳＩＤを更新するか否かを判断する。
【００４１】
理解すべきことは、無線ブリッジング設備は、受信した当該第１アクセスパケットによって、ローカルに関連している無線アクセスポイントのＢＳＳＩＤを更新するか否かを決定する。当該第１アクセスパケットに、第１無線アクセスポイントのＳＳＩＤ、ＢＳＳＩＤ及び予め設定された構成情報がキャリーされる。無線ブリッジング設備は、当該予め設定された構成情報により、当該第１無線アクセスポイントがそれと関連している無線アクセスポイントを取り替える新しい無線アクセスポイントであると判断できる。これにより、無線ブリッジング設備は、ローカルに関連している第２無線アクセスポイントのＢＳＳＩＤ（目標ＢＳＳＩＤ）を更新するか否かを判断する。
【００４２】
本開示の実施例を応用することにより、当該第１無線アクセスポイントは、第１無線アクセスポイントのＳＳＩＤ、ＢＳＳＩＤ及び予め設定された構成情報をキャリーする第１アクセスパケットを送信して、無線ブリッジング設備に、当該第１アクセスパケットによって、ローカルに関連している第２無線アクセスポイントのＢＳＳＩＤを更新するか否かを判断させる。従って、人手を介さずに、当該無線ブリッジング設備により、関連されたＢＳＳＩＤを自動的に更新することを実現し、時間及び努力を節約する目的を達成する。
【００４３】
具体的には、図４が示すように、ステップＳ３０１に基づき、本開示の実施例は、ＢＳＳＩＤを更新する方法を更に提供し、当該方法は、下記のステップを更に含む。
【００４４】
ステップＳ４０１で、第１無線アクセスポイントは、無線ブリッジング設備が送信したアクセス要求を受信する。
【００４５】
ステップＳ４０２で、第１無線アクセスポイントは、当該無線ブリッジング設備が送信したアクセス要求によって、前記無線ブリッジング設備とネットワーク接続を確立する。
【００４６】
ステップＳ４０３で、第１無線アクセスポイントは、アクセスされる無線ブリッジング設備の数量を更新する。
【００４７】
説明すべきことは、当無線ブリッジング設備が、第１無線アクセスポイントが送信した第１アクセスパケットによって、関連している無線アクセスポイントが取り替えられるべきであると確定した時、当該無線ブリッジング設備は、ローカルに関連（保存）されている目標ＢＳＳＩＤを、当該第１アクセスパケットにキャリーされている当該第１無線アクセスポイントのＢＳＳＩＤに更新する。同時に、当該無線ブリッジング設備は、当該第１無線アクセスポイントに一つのアクセス要求を送信し、当該第１無線アクセスポイントは、当該アクセス要求によって、当該無線ブリッジング設備とネットワーク接続を確立する。そして、当該第１無線アクセスポイントによる第１アクセスパケットを送信できるか否かの確定を便利にするために、無線ブリッジング設備とネットワーク接続を確立した後、当該第１無線アクセスポイントは、アクセスされた無線ブリッジング設備の数量を更新する。アクセスされる無線ブリッジング設備の数量を制限することにより、当該第１無線アクセスポイントにアクセスされる無線ブリッジング設備の数量が多すぎて、当該第１無線アクセスポイント自体の性能を影響することを避ける。
【００４８】
具体的には、当該予め設定された構成情報をキャリーする第１アクセスパケットは、予め設定された構成情報をキャリーしない第２アクセスパケットと異なる。当該予め設定された構成情報をキャリーする第１アクセスパケットは、故障の無線アクセスポイントを取り替える新しい無線アクセスポイントが一定の条件を満たす状況で送信したものである。これに反して、第２アクセスパケットは、如何なる無線アクセスポイントで送信されたものでも可能であり、ここで、当該如何なる無線アクセスポイントは、当該新しい無線アクセスポイントを含む。具体的には、図３が示すように、前記第１アクセスパケット（Ｓ３０１）を送信する前に、本開示の実施例が提供するＢＳＳＩＤを更新する方法は、下記のステップを更に含む。
【００４９】
ステップＳ３０２で、当該第１無線アクセスポイントは、当該第１アクセスパケットを送信する所定条件を満たすか否かを判断し、満たす場合、ステップＳ３０１を実行する。当該所定条件は、当該第１無線アクセスポイントにアクセスされた無線ブリッジング設備の数量が予め設定された目標数量に達しないこと、及び／又は当該第１無線アクセスポイントが構成されて有効になってから当該第１無線アクセスポイントが第１アクセスパケットを送信するまでの時間が、予め設定された時間を越えないことを含む。
【００５０】
当該第１無線アクセスポイントの構成が完了した後、先ず、自体が第１アクセスパケットを送信する所定条件を満たすか否かを判断し、満たす場合、当該第１アクセスパケットを送信し、満たさない場合、第２アクセスパケットを送信する。当該所定条件は、予め設定されても良い。
【００５１】
説明すべきことは、当該第１無線アクセスポイントにアクセスされた無線ブリッジング設備の数量が予め設定された目標数量に達しない場合、マルチキャストの形態で第１アクセスパケットを送信する。或いは、当該第１無線アクセスポイントが構成されて有効になってから、第１アクセスパケットを送信するまでの時間が予め設定された時間を越えない場合、第１アクセスパケットを送信する。予め設定された目標数量及び予め設定された時間を同時に設定する場合、予め設定された時間が経過し且つ当該第１無線アクセスポイントにアクセスされた無線ブリッジング設備の数量が予め設定された目標数量に達しないと、当該第１無線アクセスポイントは、もはや第１アクセスパケットを送信しない。この時、当該第１無線アクセスポイントの所定条件を再設定するとか、或いは手作業でアクセスされていない無線ブリッジング設備を当該第１無線アクセスポイントにアクセスさせる。また、予め設定された時間内に当該第１無線アクセスポイントにアクセスされた無線ブリッジング設備の数量が、既に予め設定された目標数量に達した場合、当該第１無線アクセスポイントは、もはや第１アクセスパケットを送信しなくても良いし、予め設定された時間に到達るまで、続いて第１アクセスパケットを送信しても良い。
【００５２】
具体的には、当該第１無線アクセスポイントが所定条件を満たすか否かを適期に検出して、当該第１無線アクセスポイントが第１アクセスパケットを送信するよう知的に制御するために、本開示の実施例が提供するＢＳＳＩＤを更新する方法は、当該無線ブリッジング設備と当該第１無線アクセスポイントの間のに、ネットワーク接続が確立された後、当該第１無線アクセスポイントにアクセスされる無線ブリッジング設備の数量を更新するステップを更に含む。
【００５３】
具体的には、図３が示すように、当該第１アクセスパケットを送信する所定条件を満たすないと判断した場合、本開示の実施例が提供するＢＳＳＩＤを更新する方法は、下記のステップを更に含む。
【００５４】
ステップＳ３０３で、当該第１無線アクセスポイントは、当該第１無線アクセスポイントのサービスセット識別子ＳＳＩＤ及び基本サービスセット識別子ＢＳＳＩＤをキャリーする第２アクセスパケットを送信する。
【００５５】
説明すべきことは、第１アクセスパケットを送信する所定条件を満たさない場合、理論的に、当該第１無線アクセスポイントが、既に予め設定された目標数量の無線ブリッジング設備がアクセスされ、もはや無線ブリッジング設備にアクセスされることを希望しないことを示す。この時、当該第１無線アクセスポイントは、続いて自体のＳＳＩＤ及びＢＳＳＩＤのみをキャリーする第２アクセスパケットを送信する。実際の応用において、当該無線ブリッジング設備と関連している無線アクセスポイントの接続が、停電等の正常原因で切断された場合、当該第２アクセスパケットを介して、相互にネットワーク接続を再確立する。
【００５６】
一方、上記の方法の実施例に応じて、本開示の実施例は、無線ブリッジング設備を更に提供する。図５が示すように、前記無線ブリッジング設備５００は、記憶媒体５１０と、プロセッサー５２０と、通信インタフェース５３０と、記憶媒体５１０、プロセッサー５２０及び通信インタフェース５３０を連結させたカップリング手段５４０とを含む。記憶媒体５１０は、プロセッサー５２０により実行される複数の機械可読指令モジュールを記憶する。前記機械可読指令モジュールは、パケット受信モジュール５０１と、ＳＳＩＤ判断モジュール５０２と、ＢＳＳＩＤ判断モジュール５０３と、構成情報判断モジュール５０４と、保存モジュール５０５とを含む。
【００５７】
前記パケット受信モジュール５０１は、第１無線アクセスポイントが送信した前記第１無線アクセスポイントのサービスセット識別子ＳＳＩＤ及び基本サービスセット識別子ＢＳＳＩＤをキャリーするアクセスパケットを受信するためである。
【００５８】
前記ＳＳＩＤ判断モジュール５０２は、前記無線ブリッジング設備のローカルに保存された目標ＳＳＩＤが、前記アクセスパケットにキャリーされているＳＳＩＤとマッチングするか否かを判断し、マッチングする場合、前記ＢＳＳＩＤ判断モジュール５０３をトリガーするためである。
【００５９】
前記ＢＳＳＩＤ判断モジュール５０３は、ローカルに保存された目標ＢＳＳＩＤが、前記アクセスパケットにキャリーされているＢＳＳＩＤと同一であるか否かを判断し、同一でない場合、前記構成情報判断モジュール５０４をトリガーするためである。
【００６０】
前記構成情報判断モジュール５０４は、前記アクセスパケットに、前記無線ブリッジング設備と関連している第２無線アクセスポイントの構成情報がキャリーされているか否かを判断し、キャリーされている場合、前記保存モジュール５０５をトリガーするためである。
【００６１】
前記保存モジュール５０５は、前記アクセスパケットにキャリーされているＢＳＳＩＤを前記目標ＢＳＳＩＤとして保存し、アクセス要求を送信し、前記第１無線アクセスポイントとネットワーク接続を確立するためである。
【００６２】
本開示の実施例を応用することにより、先ず、当該無線ブリッジング設備は、受信した第１無線アクセスポイントが送信するアクセスパケットがキャリーするサービスセット識別子ＳＳＩＤが、ローカルに保存された目標ＳＳＩＤとマッチングするか否かを判断する。マッチングする場合、続いて当該アクセスパケットがキャリーするＢＳＳＩＤが、ローカルに保存された目標ＢＳＳＩＤと同一であるか否かを判断する。同一でない場合、当該アクセスパケットに、当該無線ブリッジング設備と関連している第２無線アクセスポイントの構成情報がキャリーされているか否かを判断する。キャリーされている場合、当該アクセスパケットがキャリーするＢＳＳＩＤを目標ＢＳＳＩＤとして保存する。従って、人手を介さずに、関連されたＢＳＳＩＤを自動的に更新することを実現し、保守作業量を削減する。
【００６３】
一つの実施例において、前記機械可読指令モジュールは、パケット廃棄モジュールを更に含む。
【００６４】
前記パケット廃棄モジュールは、前記アクセスパケットに、前記無線ブリッジング設備と関連している第２無線アクセスポイントの構成情報がキャリーされていない場合、前記アクセスパケットを廃棄するためである。
【００６５】
一つの実施例において、前記アクセスパケットに、予め設定されたＢＳＳＩＤを含む予め設定された構成情報がキャリーされている。
【００６６】
前記構成情報判断モジュールは、ＢＳＳＩＤ判断ユニットと、第１廃棄ユニットとを含む。
【００６７】
前記ＢＳＳＩＤ判断ユニットは、前記予め設定されたＢＳＳＩＤが、前記無線ブリッジング設備と関連している前記目標ＢＳＳＩＤと同一であるか否かを判断し、同一である場合、前記保存モジュール５０５をトリガーし、同一でない場合、前記第１廃棄ユニットをトリガーするためである。
【００６８】
前記第１廃棄ユニットは、前記アクセスパケットを廃棄するためである。
一つの実施例において、前記アクセスパケットに、予め設定されたソース識別子及び予め設定されたアドレス識別子を更に含む予め設定された構成情報がキャリーされている。
【００６９】
前記構成情報判断モジュールは、マッチングユニットと、第２廃棄ユニットとを更に含む。
【００７０】
前記マッチングユニットは、前記予め設定されたソース識別子及び前記予め設定されたアドレス識別子が、ローカルに保存された対応する目標ソース識別子及び目標アドレス識別子とマッチングするか否かを判断するためである。マッチングする場合、前記ＢＳＳＩＤ判断ユニットをトリガーし、マッチングしない場合、前記第２廃棄ユニットをトリガーする。
【００７１】
前記第２廃棄ユニットは、前記アクセスパケットを廃棄するためである。
一方、図６が示すように、前記指令モジュールは、要求送信モジュール６０１を更に含む。
【００７２】
前記要求送信モジュール６０１は、第１無線アクセスポイントにアクセス要求を送信し、前記第１無線アクセスポイントとネットワーク接続を確立するためである。
【００７３】
一方、本開示の実施例は、第１無線アクセスポイントを更に提供する。図７が示すように、前記第１無線アクセスポイント７００は、記憶媒体７１０と、プロセッサー７２０と、通信インタフェース７３０と、記憶媒体７１０、プロセッサー７２０及び通信インタフェース７３０を連結させたカップリング手段７４０とを含む。記憶媒体７１０は、プロセッサー７２０により実行される複数の機械可読指令モジュールを記憶する。前記機械可読指令モジュールは、第１パケット送信モジュール７０１と、条件判断モジュール７０２と、第２パケット送信モジュール７０３とを含む。
【００７４】
前記第１パケット送信モジュール７０１は、第１無線アクセスポイントのサービスセット識別子ＳＳＩＤ、基本サービスセット識別子ＢＳＳＩＤ及び予め設定された構成情報をキャリーする前記第１アクセスパケットを送信して、無線ブリッジング設備に、前記第１アクセスパケットを受信した後、前記第１アクセスパケットによって、無線ブリッジング設備と関連された第２無線アクセスポイントのＢＳＳＩＤを更新するか否かを判断させるためである。
【００７５】
前記条件判断モジュール７０２は、前記第１アクセスパケットを送信する所定条件を満たすか否かを判断し、満たす場合、前記第１パケット送信モジュール７０１をトリガーするためである。前記所定条件は、当該第１無線アクセスポイントにアクセスされた無線ブリッジング設備の数量が予め設定された目標数量に達しないこと、及び／又は当該第１無線アクセスポイントが構成されて有効になってから、第１アクセスパケットを送信するまでの時間が予め設定された時間を越えないことを含む。
【００７６】
前記第２パケット送信モジュール７０３は、前記第１無線アクセスポイントのサービスセット識別子ＳＳＩＤ及び基本サービスセット識別子ＢＳＳＩＤをキャリーする第２アクセスパケットを送信するためである。
【００７７】
本開示の実施例を応用することにより、当該第１無線アクセスポイントは、第１無線アクセスポイントのＳＳＩＤ、ＢＳＳＩＤ及び予め設定された構成情報をキャリーする第１アクセスパケットを送信して、無線ブリッジング設備に、当該第１アクセスパケットによって、無線ブリッジング設備と関連された第２無線アクセスポイントのＢＳＳＩＤを更新するか否かを判断させる。従って、人手を介さずに、当該無線ブリッジング設備により、関連されたＢＳＳＩＤを自動的に更新することを実現し、時間及び努力を節約する目的を達成する。
【００７８】
図８が示すように、前記機械可読指令モジュールは、要求受信モジュール８０１と、ネットワーク接続モジュール８０２と、アクセス数量更新モジュール８０３とを更に含む。
【００７９】
前記要求受信モジュール８０１は、無線ブリッジング設備が送信したアクセス要求を受信するためである。
【００８０】
前記ネットワーク接続モジュール８０２は、前記無線ブリッジング設備が送信したアクセス要求によって、前記無線ブリッジング設備とネットワーク接続を確立するためである。
【００８１】
前記アクセス数量更新モジュール８０３は、当該第１無線アクセスポイントにアクセスされた無線ブリッジング設備の数量を更新するためである。
【００８２】
システム／装置の実施例は、基本的に方法の実施例に類似しているため、比較的に簡潔に説明したが、その関連部分は、方法の実施例の部分の説明を参照すれば良い。
【００８３】
以上説明した実施例は、ただ本開示の一部の実施例に過ぎず、全部の実施例ではないことは明らかである。本開示における実施例に基づいて、当業者により創造的な労働なしで取得されるすべての他の実施例は、いずれも本開示の保護範囲に属することになる。
【００８４】
説明すべきことは、本明細書において、第１、第２等のような関係用語は、ただ一つの実体又は操作を、他の実体又は操作と区別するためであり、必ずしもこれらの実体又は操作の間に、如何なるこのような実際的な関係又は手順が存在することを要求又は暗示するものではない。なお、用語である「含む」、「含有」又はその如何なる変形は、非排他的な含有を網羅することを意図し、従って一連の要素を含む過程、方法、品物又は設備が、これらの要素だけでなく、明確に列挙されていない他の要素も含むか、或いは、このような過程、方法、品物又は設備に固有の要素を更に含むようにする。更なる制限がない場合、文章である「一つの……を含む」により限定される要素は、前記要素を含む過程、方法、品物又は設備の中に、別の同一の要素が更に存在することを排除しない。
【００８５】
当業者は、上記の方法実施形態における全部又は一部のステップは、プログラムにより関連するハードウェアを指令することによって実現できることが理解でき、前記プログラムは、機械可読取記憶媒体に記憶されることが可能であり、ここで言う記憶媒体は、例えば、ＲＯＭ／ＲＡＭ、磁気ディスク、光ディスクなどである。
【００８６】
上記したのは、ただ本開示の実施例であり、本開示の保護範囲を限定するためのものではない。本開示の精神及び原則内でなされた如何なる変更、均等物による置換及び改良は、いずれも本開示の保護範囲内に含まれる。
【図１】
2019511861.tif 000003
【図２】
2019511861.tif 000004
【図３】
2019511861.tif 000005
【図４】
2019511861.tif 000006
【図５】
2019511861.tif 000007
【図６】
2019511861.tif 000008
【図７】
2019511861.tif 000009
【図８】
2019511861.tif 000010
【国際調査報告】
2019511861.tif 000011
2019511861.tif 000012
2019511861.tif 000013
2019511861.tif 000014